(57)【要約】【課題】  シンク外側への水の跳ね返しやシンク周囲への汚水の飛散等を防止し、シンクに対する簀子の着脱を容易にする。【解決手段】  簀子４を一方向に向けて載置可能とするようシンク１の上部開口側に設けた上側段部２と、前記簀子４を９０°回転した状態でシンク１の中段位置に載置可能とするよう当該上側段部２から落とし込み状に形成した下側段部３と、該下側段部３位置に設けた混合栓５とを備える。混合栓５上側を閉塞するように上側段部２に載置し、且つ簀子４上をスライド移動して当該混合栓５上側を開放可能としたカバー体６を備える。【選択図】          図１
2006197815.tif 000002
【特許請求の範囲】
【請求項１】
簀子を一方向に向けて載置可能とするようシンクの上部開口側に設けられた上側段部と、前記簀子を９０°回転させた状態でシンクの略中段位置に載置可能とするよう当該上側段部から落とし込み状に形成された下側段部と、該下側段部位置に設けられた混合栓とを備えて成ることを特徴とするペット用処置台。
【請求項２】
前記混合栓上側を閉塞するように上側段部に載置され、且つ簀子上をスライド移動して当該混合栓上側を開放可能としたカバー体を備えた請求項１記載のペット用処置台。
【発明の詳細な説明】
【技術分野】
【０００１】
本発明は、ペットの洗浄用処置台（以後シンクと略称する）に係り、主として動物病院等で使用され、その他にペットショップやペット用美容院等においても使用されるペット用処置台に関する。
【背景技術】
【０００２】
従来、例えば動物病院等において、犬猫等の小動物ペットの手術後の血液や汚れ等を洗浄したり、あるいはペットショップやペット用美容院等において小動物ペットのトリミングを行ったりするのに際し、図６に示すように、シンク１上に載せられた簀子４上部に当該小動物ペットを置いてから例えばシャワー等の混合栓５を引き出して洗浄するのであった。このとき簀子４は、シンク１の開口上面に不図示の固定金具等によって取り付けられる。また、湯水や常温水等を使用するための混合栓５は、シンク１の縁側から上部に突出して設けられ、しかも混合栓５のシャワーヘッド部分は上下方向へ伸縮自在に構成されている。
【特許文献１】特になし
【発明の開示】
【発明が解決しようとする課題】
【０００３】
しかしながら、従来におけるシンク１では、簀子４はシンク１の開口上面に取り付けられ、且つ簀子４の上側から湯水や常温水等をシンク１内に流し込むため、混合栓５の使用に際し、シンク１外側への水の跳ね返し等が避けられず非常に不便であった。しかも、シンク１に対する簀子４の取り付けに固定金具を使っているため、当該簀子４の着脱操作が面倒であり、また簀子４の取り付け後には、汚水等がこの固定金具を伝わってシンク１外部へ流れてしまうという虞れがあった。また、混合栓５がシンク１上部に突出しているため、これが洗浄作業の邪魔となり、しかもシンク１の搬送や、梱包等においても不便なものであった。
【０００４】
そこで、本発明は、叙上のような従来存した諸事情に鑑み創出されたもので、シャワー等の混合栓の使用に際し、シンク外側への水の跳ね返しやシンク周囲への汚水の飛散等を防止でき、しかもシンクに対する簀子の取り付けが固定金具を使わずに容易に行え、且つ簀子の着脱も容易に行えると共に、混合栓が洗浄作業やシンク自体の搬送・梱包等において何等邪魔とならないようにしたペット用処置台を提供することを目的とする。
【課題を解決するための手段】
【０００５】
上述した課題を解決するため、本発明にあっては、簀子を一方向に向けて載置可能とするようシンクの上部開口側に設けられた上側段部と、前記簀子を９０°回転させた状態でシンクの略中段位置に載置可能とするよう当該上側段部から落とし込み状に形成された下側段部と、該下側段部位置に設けられた混合栓とを備えて成るものである。
【０００６】
また、前記構成において、前記混合栓上側を閉塞するように上側段部に載置され、且つ簀子上をスライド移動して当該混合栓上側を開放可能としたカバー体を備えて構成することができる。
【０００７】
以上のように構成された本発明に係るペット用処置台にあって、シンクの上側段部は、不使用時においてここに簀子が一方向に向けて載せられることで、シンク上側開口部を下側段部の混合栓と共に閉塞させる。
また、例えば小動物ペットの洗浄を行うときには簀子の向きを９０°回転して下側段部に載せ替えることで、シンク中段の開口部分を閉塞させる。
そして、カバー体が混合栓上側を閉塞させた際には、シンク上面を上側段部に載置されている簀子と共に広く使用可能にさせ、且つカバー体を簀子上でスライド移動させることで、混合栓上側だけを開放可能にさせる。
【発明の効果】
【０００８】
本発明によれば、シャワー等の混合栓の使用に際し、シンク外側への水の跳ね返しやシンク周囲への汚水の飛散等を防止でき、しかもシンクに対する簀子の取り付けが固定金具を使わずに容易に行え、且つ簀子の着脱も容易に行えると共に、混合栓が洗浄作業やシンク自体の搬送・梱包等において何等邪魔とならないようにすることができる。
【０００９】
すなわち、これは本発明が、簀子を一方向に向けて載置可能とするようシンクの上部開口側に設けられた上側段部と、前記簀子を９０°回転させた状態でシンクの略中段位置に載置可能とするよう当該上側段部から落とし込み状に形成された下側段部と、該下側段部位置に設けられた混合栓とを備えて成るからであり、これにより、不使用時には簀子を上側段部に載せておき、小動物ペットの洗浄を行うときには簀子を９０°回転して下側段部に載せ替えることでもって、シャワー等の混合栓の使用に際し、シンク外側への水の跳ね返しやシンク周囲への汚水の飛散等を防止することができる。
【００１０】
しかも、小動物ペットの種類や洗浄作業の状況に応じて上下いずれの段部に簀子を載置して使用することができる。また、混合栓が下側段部位置に設けられているため、洗浄作業やシンク自体の搬送・梱包等において混合栓自体が何等邪魔とはならない。さらに、シンクの上部開口側に設けられた上側段部と中側段部とは一組の簀子で兼用できるため、使い勝手が良く、かつコストの面でも従来品と比べて格段に優れている。
【００１１】
また、前記混合栓上側を閉塞するように上側段部に載置され、且つ簀子上をスライド移動して当該混合栓上側を開放可能としたカバー体を備えたので、上側段部に載置されている簀子と共に、カバー体によって混合栓上側を閉塞した状態でシンク上面を、例えば小動物の処置台として、あるいは洗浄用等として広く使用することができ、また簀子上をスライド移動させて混合栓上側だけを開放させることで、簀子を上側段部に載せたままであっても容易に混合栓を使用することができる。
【発明を実施するための最良の形態】
【００１２】
以下、図面を参照して本発明を実施するための最良の一形態を説明すると、図において示される符号１は、小動物ペットの洗浄に使用されるペット用処置台としての例えばステンレス材によって形成されたシンクであり、このシンク１の底部開口内には不図示の給水栓、給湯栓、排水管等を配置してある。
【００１３】
このシンク１は、図１に示すように、上部開口側に上側段部２が設けられ、矩形平板状に形成された例えば２枚の格子状の簀子４を一方向である例えば格子方向がシンク１の上部開口側の長手方向に沿って載置可能となるようにしてある。
【００１４】
また、図１および図３に示すように、シンク１の略中段位置には、上側段部２から落とし込み状に下側段部３が形成され、前記２枚の簀子４をそれぞれ９０°回転させた状態に、例えば簀子４の格子方向がシンク１の上部開口側の長手方向とは直角の向きにしてシンク１の略中段位置に載置可能となるようにしてある。
【００１５】
また、図５に示すように、シンク１の略中段位置における下側段部３の一端側を若干長目に延設して棚部７を形成してあり、そこには伸縮可能なシャワーヘッド５Ａと、これを開栓乃至閉閉する混合栓５が備え付けられている。
【００１６】
すなわち、図１に示すように、簀子４は、矩形状の枠体４Ａに複数の線材４Ｂを格子状に組み付けて成り、当該簀子４の格子方向に沿った縦方向の長さｍに対して、格子方向と直角の横方向の長さｌを若干大きくし、しかも中間には補強用線材４Ｃを付設して成る矩形平板状に形成されている。
【００１７】
そして、シンク１の上部開口側における上側段部２に対して上側の内壁面の長手方向の長さが簀子４の縦方向の長さｍの２倍よりも若干大きくなるように形成してある。また、上側の内壁面の長手方向と直角方向の長さ、すなわち長手方向に沿った左右の上側段部２に対し上側の互いに対向する内壁面同士の間隔が簀子４の横方向の長さｌと略合致するように形成してあり、これによって混合栓５を開放した状態で２枚の簀子４が上側段部２に隣接載置されるようにしてある。
【００１８】
また、図３乃至図５に示すように、シンク１の略中段位置における下側段部３に対して上側の内壁面（上側段部２に対して下側の内壁面）の長手方向の長さが簀子４の横方向の長さｌの２倍よりも若干大きくなるように形成してある。そして、下側段部３に対して上側の内壁面の長手方向と直角方向の長さ、すなわち長手方向に沿った左右の下側段部３に対し上側の互いに対向する内壁面同士の間隔が簀子４の縦方向の長さｍと合致するように形成してあり、これによって混合栓５を開放した状態で２枚の簀子４が下側段部３に隣接載置されるようにしてある。
【００１９】
また、図１、図２に示すように、シンク１の上部開口側の上側段部２には、複数縦長状の通水孔６Ａを有する矩形板枠状のカバー体６が載置できるようにしてあり、混合栓５上側を閉塞するようにしてある。このとき、カバー体６は上側段部２に載置されている状態のまま簀子４上を自由にスライド移動して混合栓５上側を開放できるようにしてある。
【００２０】
次に、本構成による使用について説明すると、シンク１の不使用時においては、図２に示すように、シンク１の上側段部２に２枚の簀子４を一方向に向けて載せ、且つカバー体６で混合栓５上側を閉塞させることで、シンク１の上側開口部を下側段部３位置の棚部７にある混合栓５と共に閉塞しておく。
【００２１】
もちろん、このようにシンク１が閉塞状態のままであっても、シンク１上面を上側段部２に載置されている簀子４は、小動物の処置台として、あるいは洗浄用として広く使用させることができる。このとき、カバー体６を簀子４上でスライド移動させて棚部７の混合栓５上側だけを開放しておけば、シンク１の上側段部２に簀子４を載せた状態であっても混合栓５を使うことができる。
【００２２】
また、シンク１によって小動物ペットの洗浄を行うときには、図３に示すように、簀子４の向きを９０°回転してシンク１の略中段位置にある下側段部３に載せ替えることで、シンク１中段の開口部分が閉塞され、この簀子４の上に小動物ペットを載せてから混合栓５を使って洗浄すれば良い。これによって洗浄の際のシンク周囲への汚水の飛散等を確実に防止することができる。
【図面の簡単な説明】
【００２３】
【図１】本発明を実施するための最良の形態におけるシンクの分解斜視図である。
【図２】同じく不使用状態のシンクの斜視図である。
【図３】同じく使用状態のシンクの斜視図である。
【図４】同じく使用状態のシンクの平面図である。
【図５】図４中、Ｘ−Ｘ断面図である。
【図６】従来例におけるシンクの斜視図である。
【符号の説明】
【００２４】
ｍ    縦方向の長さ
ｌ    横方向の長さ
１    シンク
２    上側段部
３    下側段部
４    簀子
４Ａ  枠体
４Ｂ  線材
４Ｃ  補強用線材
５    混合栓
５Ａ  シャワーヘッド
６    カバー体
６Ａ  通水孔
７    棚部
【図１】
2006197815.tif 000003
【図２】
2006197815.tif 000004
【図３】
2006197815.tif 000005
【図４】
2006197815.tif 000006
【図５】
2006197815.tif 000007
【図６】
2006197815.tif 000008